【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
少なくとも２つのタイプのアップリンク情報についての別個の要求のための時間遅延に適用される条件が満たされるかどうかを決定することと、ここにおいて、前記少なくとも２つのタイプのアップリンク情報は制御情報を備え、前記条件は、前記要求が処理される処理時間であり、前記２つのタイプのアップリンク情報は、ダウンリンク送信において要求され、
前記条件の各々が満たされる場合、前記２つのタイプのアップリンク情報を多重化するアップリンク送信を送ることと、
を備え、前記条件のうちの少なくとも１つは、アップリンク情報の前記タイプのうちの１つのみが要求された場合の対応する条件と比べて、より大きい時間遅延をもつ緩和された条件を表すことを特徴とする、方法。
【請求項２】
前記少なくとも２つのアップリンクタイプの情報は、アップリンクデータと前記制御情報とを備える、請求項１に記載の方法。
【請求項３】
前記制御情報は、確認応答情報またはチャネル状態フィードバック（ＣＳＦ）のうちの少なくとも１つを備える、請求項２に記載の方法。
【請求項４】
前記時間遅延のうちの１つは、
物理ダウンリンク共有チャネル（ＰＤＳＣＨ）受信の終了から前記確認応答情報を含む送信の起こり得る開始までのＵＥ処理のためのいくつかの数の直交周波数分割多重（ＯＦＤＭ）シンボル、
を備える、請求項３に記載の方法。
【請求項５】
前記時間遅延のうちの１つは、
最後のチャネル状態情報基準信号（ＣＳＩ−ＲＳ）から、前記ＣＳＦを含んでいるアップリンク送信の最初のシンボルまでの持続時間、
を備え、または、
前記制御情報は確認応答情報を備え、
前記ＵＥは、前記条件のうちの少なくとも１つが満たされない場合、前記確認応答情報のみをもち、前記データをもたないアップリンク送信を送るように構成され、または、
前記制御情報はチャネル状態フィードバック（ＣＳＦ）を備え、
前記ＵＥは、前記条件のうちの少なくとも１つが満たされない場合、前記データのみをもち、前記ＣＳＦをもたないアップリンク送信を送るように構成された、
請求項３に記載の方法。
【請求項６】
前記少なくとも２つのタイプのアップリンク情報は、確認応答情報とチャネル状態フィードバック（ＣＳＦ）とを備え、前記少なくとも２つのタイプの情報はアップリンクデータをも備える、請求項１に記載の方法。
【請求項７】
前記ＵＥは、前記条件のうちの少なくとも１つが満たされない場合、アップリンク情報の前記タイプのうちのどれを送信すべきかを選択するために１つまたは複数の優先度付けルールを適用するように構成され、ＵＥまたはネットワーク構成、あるいは標準仕様のうちの少なくとも１つは、前記優先度付けルールを規定する、請求項１に記載の方法。
【請求項８】
ユーザ機器（ＵＥ）によるワイヤレス通信のための装置であって、
少なくとも２つのタイプのアップリンク情報についての別個の要求のための時間遅延に適用される条件が満たされるかどうかを決定するための手段と、ここにおいて、前記少なくとも２つのタイプのアップリンク情報は制御情報を備え、前記条件は、前記要求が処理される処理時間であり、前記アップリンク制御情報は、ダウンリンク送信において要求され、
前記条件の各々が満たされる場合、前記２つのタイプのアップリンク情報を多重化するアップリンク送信を送るための手段と、
を備え、前記条件のうちの少なくとも１つは、アップリンク情報の前記タイプのうちの１つのみが要求された場合の対応する条件と比べて、より大きい時間遅延をもつ緩和された条件を表すことを特徴とする、装置。
【請求項９】
前記少なくとも２つのタイプの情報が、アップリンクデータと前記制御情報とを備える、請求項８に記載の装置。
【請求項１０】
前記制御情報は、確認応答情報またはチャネル状態フィードバック（ＣＳＦ）のうちの少なくとも１つを備える、請求項９に記載の装置。
【請求項１１】
前記時間遅延のうちの１つは、
物理ダウンリンク共有チャネル（ＰＤＳＣＨ）受信の終了から前記確認応答情報を含む送信の起こり得る開始までのＵＥ処理のためのいくつかの数の直交周波数分割多重（ＯＦＤＭ）シンボル、
を備える、請求項１０に記載の装置。
【請求項１２】
前記時間遅延のうちの１つは、
最後のチャネル状態情報基準信号（ＣＳＩ−ＲＳ）から、前記ＣＳＦを含んでいるアップリンク送信の最初のシンボルまでの持続時間、
を備え、または、
前記制御情報は確認応答情報を備え、
前記ＵＥは、前記条件のうちの少なくとも１つが満たされない場合、前記確認応答情報のみをもち、前記データをもたないアップリンク送信を送るように構成され、または、
前記制御情報はチャネル状態フィードバック（ＣＳＦ）を備え、
前記ＵＥは、前記条件のうちの少なくとも１つが満たされない場合、前記データのみをもち、前記ＣＳＦをもたないアップリンク送信を送るように構成された、
請求項１０に記載の装置。
【請求項１３】
前記少なくとも２つのタイプのアップリンク情報は、確認応答情報とチャネル状態フィードバック（ＣＳＦ）とを備え、前記少なくとも２つのタイプの情報はアップリンクデータをも備える、請求項８に記載の装置。
【請求項１４】
前記ＵＥは、前記条件のうちの少なくとも１つが満たされない場合、アップリンク情報の前記タイプのうちのどれを送信すべきかを選択するために１つまたは複数の優先度付けルールを適用するように構成され、ＵＥまたはネットワーク構成、あるいは標準仕様のうちの少なくとも１つは、前記優先度付けルールを規定する、請求項８に記載の装置。
【請求項１５】
請求項１〜７のいずれか一項に記載の方法を行うための命令を記憶した、コンピュータ可読媒体。
【手続補正２】
【補正対象書類名】明細書
【補正対象項目名】００６４
【補正方法】変更
【補正の内容】
【００６４】
[0074]以上の説明は、当業者が本明細書で説明された様々な態様を実施できるようにするために与えられた。これらの態様への様々な変更は当業者には容易に明らかであり、本明細書で定義された一般的原理は他の態様に適用され得る。したがって、特許請求の範囲は、本明細書に示された態様に限定されるものではなく、特許請求の範囲の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃを包含するものとする。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に、本願の出願当初の特許請求の範囲に記載された発明を付記する。
［Ｃ１］
ユーザ機器（ＵＥ）によるワイヤレス通信のための方法であって、
少なくとも２つのタイプの情報についての別個の要求のための時間遅延に適用される条件が満たされるかどうかを決定することと、
前記条件の各々が満たされる場合、前記２つのタイプの情報を多重化するアップリンク送信を送ることと、
を備える、方法。
［Ｃ２］
前記条件のうちの少なくとも１つは、１つのタイプの情報のみが要求された場合の条件と比べて、より大きい時間遅延をもつ緩和された条件を表す、Ｃ１に記載の方法。
［Ｃ３］
前記少なくとも２つのタイプの情報は、アップリンクデータと制御情報とを備える、Ｃ１に記載の方法。
［Ｃ４］
前記制御情報は、確認応答情報またはチャネル状態フィードバック（ＣＳＦ）のうちの少なくとも１つを備える、Ｃ１に記載の方法。
［Ｃ５］
前記時間遅延のうちの１つは、
物理ダウンリンク共有チャネル（ＰＤＳＣＨ）受信の終了から前記確認応答情報を含む送信の起こり得る開始までのＵＥ処理のためのいくつかの数の直交周波数分割多重（ＯＦＤＭ）シンボル、
を備える、Ｃ４に記載の方法。
［Ｃ６］
前記時間遅延のうちの１つは、
最後のチャネル状態情報基準信号（ＣＳＩ−ＲＳ）から、前記ＣＳＦを含んでいるアップリンク送信の最初のシンボルまでの持続時間、
を備える、Ｃ４に記載の方法。
［Ｃ７］
前記制御情報は確認応答情報を備え、
前記ＵＥは、前記条件のうちの少なくとも１つが満たされない場合、前記確認応答情報のみをもち、前記データをもたないアップリンク送信を送るように構成された、
Ｃ４に記載の方法。
［Ｃ８］
前記制御情報はチャネル状態フィードバック（ＣＳＦ）を備え、
前記ＵＥは、前記条件のうちの少なくとも１つが満たされない場合、前記データのみをもち、前記ＣＳＦをもたないアップリンク送信を送るように構成された、
Ｃ４に記載の方法。
［Ｃ９］
前記少なくとも２つのタイプの情報は、確認応答情報とチャネル状態フィードバック（ＣＳＦ）とを備える、Ｃ１に記載の方法。
［Ｃ１０］
前記少なくとも２つのタイプの情報はアップリンクデータをも備える、Ｃ９に記載の方法。
［Ｃ１１］
前記ＵＥは、前記条件のうちの少なくとも１つが満たされない場合、前記タイプの情報のうちのどれを送信すべきかを選択するために１つまたは複数の優先度付けルールを適用するように構成された、Ｃ１に記載の方法。
［Ｃ１２］
ＵＥまたはネットワーク構成、あるいは標準仕様のうちの少なくとも１つは、前記優先度付けルールを規定する、Ｃ１１に記載の方法。
［Ｃ１３］
ユーザ機器（ＵＥ）によるワイヤレス通信のための装置であって、
少なくとも２つのタイプの情報についての別個の要求のための時間遅延に適用される条件が満たされるかどうかを決定するための手段と、
前記条件の各々が満たされる場合、前記２つのタイプの情報を多重化するアップリンク送信を送るための手段と、
を備える、装置。
［Ｃ１４］
前記条件のうちの少なくとも１つは、１つのタイプの情報のみが要求された場合の条件と比べて、より大きい時間遅延をもつ緩和された条件を表す、Ｃ１３に記載の装置。
［Ｃ１５］
前記少なくとも２つのタイプの情報が、アップリンクデータと制御情報とを備える、Ｃ１３に記載の装置。
［Ｃ１６］
前記制御情報は、確認応答情報またはチャネル状態フィードバック（ＣＳＦ）のうちの少なくとも１つを備える、Ｃ１３に記載の装置。
［Ｃ１７］
前記時間遅延のうちの１つは、
物理ダウンリンク共有チャネル（ＰＤＳＣＨ）受信の終了から前記確認応答情報を含む送信の起こり得る開始までのＵＥ処理のためのいくつかの数の直交周波数分割多重（ＯＦＤＭ）シンボル、
を備える、Ｃ１６に記載の装置。
［Ｃ１８］
前記時間遅延のうちの１つは、
最後のチャネル状態情報基準信号（ＣＳＩ−ＲＳ）から、前記ＣＳＦを含んでいるアップリンク送信の最初のシンボルまでの持続時間、
を備える、Ｃ１６に記載の装置。
［Ｃ１９］
前記制御情報は確認応答情報を備え、
前記ＵＥは、前記条件のうちの少なくとも１つが満たされない場合、前記確認応答情報のみをもち、前記データをもたないアップリンク送信を送るように構成された、
Ｃ１６に記載の装置。
［Ｃ２０］
前記制御情報はチャネル状態フィードバック（ＣＳＦ）を備え、
前記ＵＥは、前記条件のうちの少なくとも１つが満たされない場合、前記データのみをもち、前記ＣＳＦをもたないアップリンク送信を送るように構成された、
Ｃ１６に記載の装置。
［Ｃ２１］
前記少なくとも２つのタイプの情報は、確認応答情報とチャネル状態フィードバック（ＣＳＦ）とを備える、Ｃ１３に記載の装置。
［Ｃ２２］
前記少なくとも２つのタイプの情報はアップリンクデータをも備える、Ｃ２１に記載の装置。
［Ｃ２３］
前記ＵＥは、前記条件のうちの少なくとも１つが満たされない場合、前記タイプの情報のうちのどれを送信すべきかを選択するために１つまたは複数の優先度付けルールを適用するように構成された、Ｃ１３に記載の装置。
［Ｃ２４］
ＵＥまたはネットワーク構成、あるいは標準仕様のうちの少なくとも１つは、前記優先度付けルールを規定する、Ｃ２３に記載の装置。
［Ｃ２５］
ユーザ機器（ＵＥ）によるワイヤレス通信のための装置であって、
少なくとも２つのタイプの情報についての別個の要求のための時間遅延に適用される条件が満たされるかどうかを決定するように構成された、少なくとも１つのプロセッサと、  前記条件の各々が満たされる場合、前記２つのタイプの情報を多重化するアップリンク送信を送るように構成された、送信機と、
を備える、装置。
［Ｃ２６］
少なくとも２つのタイプの情報についての別個の要求のための時間遅延に適用される条件が満たされるかどうかを決定することと、
前記条件の各々が満たされる場合、前記２つのタイプの情報を多重化するアップリンク送信を送ることと、
を行うための命令を記憶した、コンピュータ可読媒体。